(57)【要約】【課題】放熱用の通気孔の形成などに支障を生じるようなことなく、筐体の製造コストの低減化を好適に図ることが可能な壁面設置型の電気機器を提供する。【解決手段】壁面設置型の電気機器を構成する筐体の枠状部材Ｆは、上下２分割されて、上側部材２Ａと下側部材２Ｂとが組み合わされた構成とされ、これら上側部材２Ａと下側部材２Ｂとを連結するための連結手段Ｃ１，Ｃ２として、側板上部２２ａ，２３ａおよび側板下部２２ｂ，２３ｂの各先端部から略水平に屈曲した一対の屈曲片部２４ａ，２４ｂと、これら一対の屈曲片部２４ａ，２４ｂの一方に設けられた鉤状の係止用突起２５および他方に設けられた係止用孔２６と、を備えており、係止用突起２５を係止用孔２６に進入させて係止用孔２６の縁部に係止させることにより、一対の屈曲片部２４ａ，２４ｂを対面接触させた状態で連結させることが可能である。【選択図】  図４
2014110283.tif 000002
【特許請求の範囲】
【請求項１】
内部に電気機器本体部を収容する筐体が、前記電気機器本体部の周囲を囲む枠状部材と、この枠状部材の前面側を覆うフロントカバーとを用いて構成されており、
前記枠状部材は、上板部、下板部、および左右一対の側板部を有し、かつ前記上板部および下板部のそれぞれには、放熱用の複数の通気孔が設けられている、壁面設置型の電気機器であって、
前記枠状部材は、前記一対の側板部のそれぞれが側板上部および側板下部に分割されるように上下２分割され、前記上板部の両端に前記側板上部が繋がった上側部材と、前記下板部の両端に前記側板下部が繋がった下側部材とが組み合わされた構成とされており、
前記上側部材と前記下側部材とを連結するための連結手段として、
前記側板上部および前記側板下部の各先端部に連設され、かつ前記各先端部から略水平に屈曲した一対の屈曲片部と、
これら一対の屈曲片部の一方に設けられた鉤状の係止用突起および他方に設けられた係止用孔と、を備えており、
前記係止用突起を前記係止用孔に進入させて前記係止用孔の縁部に係止させることにより、前記一対の屈曲片部を対面接触させた状態で連結させることが可能な構成とされていることを特徴とする、壁面設置型の電気機器。
【請求項２】
請求項１に記載の壁面設置型の電気機器であって、
前記一対の屈曲片部のそれぞれは、前記側板上部および前記側板下部の各先端部から前記枠状部材の内側に向けて屈曲している、壁面設置型の電気機器。
【請求項３】
請求項１または２に記載の壁面設置型の電気機器であって、
前記係止用孔は、奥部が手前側よりも幅狭に形成され、前記係止用突起を前記係止用孔の縁部に係止させた際には、前記係止用突起の基部を前記係止用孔の奥部に進入させることが可能とされている、壁面設置型の電気機器。
【請求項４】
請求項１ないし３のいずれかに記載の壁面設置型の電気機器であって、
前記係止用突起は、略水平方向を向いて一端が開口した切欠き状の凹部を形成しているとともに、この凹部の奥部は、手前側よりも上下幅が狭く形成されており、
前記係止用突起を前記係止用孔の縁部に係止させた際には、前記係止用孔の縁部を前記凹部の奥部に進入させることが可能とされている、壁面設置型の電気機器。
【請求項５】
上板部、下板部、および左右一対の側板部を有する枠状であり、かつ前記上板部および下板部には、複数の通気孔が設けられており、壁面設置型の電気機器の筐体の構成部材として用いられる、筐体用の枠状部材であって、
この枠状部材は、前記一対の側板部のそれぞれが側板上部および側板下部に分割されるように上下２分割され、前記上板部の両端に前記側板上部が繋がった上側部材と、前記下板部の両端に前記側板下部が繋がった下側部材とが組み合わされた構成とされており、
前記上側部材と前記下側部材とを連結するための連結手段として、
前記側板上部および前記側板下部の各先端部に連設され、かつ前記各先端部から略水平に屈曲した一対の屈曲片部と、
これら一対の屈曲片部の一方に設けられた鉤状の係止用突起および他方に設けられた係止用孔と、を備えており、
前記係止用突起を前記係止用孔に進入させて前記係止用孔の縁部に係止させることにより、前記一対の屈曲片部を対面接触させた状態で連結させることが可能な構成とされていることを特徴とする、筐体用の枠状部材。
【発明の詳細な説明】
【技術分野】
【０００１】
本発明は、パワーコンディショナなどの壁面設置型の電気機器、および電気機器の筐体の構成部材として用いられる枠状部材に関する。
【背景技術】
【０００２】
壁面設置型の電気機器の例として、太陽光パネルで発電された直流電力を交流電力に変換するパワーコンディショナがある。このパワーコンディショナは、筐体内に電気機器本体部を収容した構成とされるが、筐体としては、電気機器本体部の周囲を囲む枠状部材と、この枠状部材の前面部を覆うフロントカバーとを組み合わせて構成される場合が多い（たとえば、特許文献１を参照）。
一方、パワーコンディショナは、その電気部品として複数のリアクトルを有し、通電時には多くの熱が発生するために、この熱が筐体内に籠らないようにすることが望まれる。そのための手段として、筐体を構成する枠状部材の上板部や下板部に、複数の通気孔を設ける手段が適宜採用されている（特許文献２，３を参照）。
このような構成によれば、筐体内の電気機器から熱が発生すると、この熱によって加熱された空気が上板部の通気孔を通過して筐体の上方に流出する。すると、外部空気が下板部の通気孔から筐体内に進入することとなり、筐体内に熱が籠もらないようにすることが可能である。
【０００３】
しかしながら、従来においては、次に述べるように、解決すべき課題があった。
【０００４】
すなわち、パワーコンディショナは、そのサイズを比較的大きく形成しなければならない場合がある。このような場合において、枠状部材の全体を単一部材として形成したのでは、その製作性が劣るものとなって、製造コストが高くなりがちである。したがって、このようなことを適切に解消することが要望される。
このような要望に応えるための一手段としては、枠状部材を２つの部材に分割した状態に製作し、これら２つの部材を枠状に連結することが考えられる。
ところが、このような手段を採用する場合、２つの部材の連結箇所に隙間が生じるといった不具合を生じさせないように配慮する必要がある。また、放熱用の通気孔の形成に支障を生じないようにする必要もある。さらに、２つの部材を連結するための構造が複雑であったり、その連結作業が面倒であると、製造コストが高くなるため、そのようなことも適切に回避することが望まれる。
【先行技術文献】
【特許文献】
【０００５】
【特許文献１】特開２０１２−３４５０９号公報
【特許文献２】特許第４８５０９３３号公報
【特許文献３】特許第４８４１５６６号公報
【発明の概要】
【発明が解決しようとする課題】
【０００６】
本発明は、前記したような事情のもとで考え出されたものであり、放熱用の通気孔の形成などに支障を生じるようなことなく、筐体の製造作業の容易化ならびに製造コストの低減化を好適に図ることが可能な壁面設置型の電気機器、およびこのような壁面設置型の電気機器の構成部材として好適に用いることができる筐体用の枠状部材を提供することを、その課題としている。
【課題を解決するための手段】
【０００７】
上記の課題を解決するため、本発明では、次の技術的手段を講じている。
【０００８】
本発明の第１の側面により提供される壁面設置型の電気機器は、内部に電気機器本体部を収容する筐体が、前記電気機器本体部の周囲を囲む枠状部材と、この枠状部材の前面側を覆うフロントカバーとを用いて構成されており、前記枠状部材は、上板部、下板部、および左右一対の側板部を有し、かつ前記上板部および下板部のそれぞれには、放熱用の複数の通気孔が設けられている、壁面設置型の電気機器であって、前記枠状部材は、前記一対の側板部のそれぞれが側板上部および側板下部に分割されるように上下２分割され、前記上板部の両端に前記側板上部が繋がった上側部材と、前記下板部の両端に前記側板下部が繋がった下側部材とが組み合わされた構成とされており、前記上側部材と前記下側部材とを連結するための連結手段として、前記側板上部および前記側板下部の各先端部に連設され、かつ前記各先端部から略水平に屈曲した一対の屈曲片部と、これら一対の屈曲片部の一方に設けられた鉤状の係止用突起および他方に設けられた係止用孔と、を備えており、前記係止用突起を前記係止用孔に進入させて前記係止用孔の縁部に係止させることにより、前記一対の屈曲片部を対面接触させた状態で連結させることが可能な構成とされていることを特徴としている。
【０００９】
このような構成によれば、筐体の枠状部材が、上側部材と下側部材とを組み合わせて構成されているために、枠状部材を単一部材によって構成する場合と比較して、筐体のサイズを大きくする場合の枠状部材の製造を容易にすることが可能となる。加えて、次のような効果がさらに得られる。
第１に、上側部材と下側部材との連結部分においては、上側板部および下側板部のそれぞれの先端部から略水平状に屈曲した一対の屈曲片部を対面接触させた状態とすることができる。このように一対の屈曲片部どうしを対面接触させれば、上側部材と下側部材との当接状態を安定させ、しかも一対の屈曲片部間に不当な隙間を生じさせないようにすることができる。
第２に、上側部材と下側部材との連結箇所は、左右一対の側板部に設けられており、上板部や下板部に連結箇所が存在しない構成とすることができる。上板部や下板部に連結箇所を設けたのでは、これら上板部や下板部に放熱用の通気孔を設ける場合にスペース的な制約を受ける虞があるが、本発明によれば、そのような虞を無くすことができる。本発明においては、放熱用の通気孔を上板部や下板部の広い範囲にわたって多数形成し、適切な冷却性能を得ることが可能である。
第３に、上側部材と下側部材との連結は、これらの部材に設けられている係止用突起を係止用孔の縁部に係止させて行なわせるために、その作業は容易である。また、ボルト・ナットなどの別部品を用いる必要もなくすことができる。したがって、その組立作業コストも廉価にすることができる。
【００１０】
本発明において、好ましくは、前記一対の屈曲片部のそれぞれは、前記側板上部および前記側板下部の各先端部から前記枠状部材の内側に向けて屈曲している。
【００１１】
このような構成によれば、互いに連結される上側板部と下側板部との外面に大きな段差を生じないように、それらの外面を面一状に設定することができる。一対の屈曲片部や係止用突起などが枠状部材の外部から見えないようにすることもできる。その結果、上側部材と下側部材との連結部分については、外部からは単なる1本のラインとして見えるものとし、この部分の外観体裁をより良好なものとすることができる。
【００１２】
本発明において、好ましくは、前記係止用孔は、奥部が手前側よりも幅狭に形成され、前記係止用突起を前記係止用孔の縁部に係止させた際には、前記係止用突起の基部を前記係止用孔の奥部に進入させることが可能とされている。
【００１３】
このような構成によれば、係止用突起を係止用孔に進入させる作業は、係止用孔の手前側の幅広な部分を利用して容易に行なうことができる。その後、係止用突起を係止用孔の縁部に最終的に係止させる場合には、係止用孔の奥部に対して係止用突起の基部を圧入またはこれに近い状態で進入させることができる。したがって、組立作業性を良好にしつつ、上側部材と下側部材とを係止用孔の幅方向（水平方向）にがたつきのない状態で連結する上でより好ましいものとなる。
【００１４】
本発明において、好ましくは、前記係止用突起は、略水平方向を向いて一端が開口した切欠き状の凹部を形成しているとともに、この凹部の奥部は、手前側よりも上下幅が狭く形成されており、前記係止用突起を前記係止用孔の縁部に係止させた際には、前記係止用孔の縁部を前記凹部の奥部に進入させることが可能とされている。
【００１５】
このような構成によれば、係止用突起を係止用孔の縁部に係止させた際に、係止用突起の所定の切欠き状の凹部の奥部に、係止用孔の縁部を圧入し、またはこれに近い状態で進入させることができる。したがって、上側部材と下側部材とを上下方向にがたつきのない状態で連結する上でより好ましいものとなる。
【００１６】
本発明の第２の側面により提供される筐体用の枠状部材は、上板部、下板部、および左右一対の側板部を有する枠状であり、かつ前記上板部および下板部には、複数の通気孔が設けられており、壁面設置型の電気機器の筐体の構成部材として用いられる、筐体用の枠状部材であって、この枠状部材は、前記一対の側板部のそれぞれが側板上部および側板下部に分割されるように上下２分割され、前記上板部の両端に前記側板上部が繋がった上側部材と、前記下板部の両端に前記側板下部が繋がった下側部材とが組み合わされた構成とされており、前記上側部材と前記下側部材とを連結するための連結手段として、前記側板上部および前記側板下部の各先端部に連設され、かつ前記各先端部から略水平に屈曲した一対の屈曲片部と、これら一対の屈曲片部の一方に設けられた鉤状の係止用突起および他方に設けられた係止用孔と、を備えており、前記係止用突起を前記係止用孔に進入させて前記係止用孔の縁部に係止させることにより、前記一対の屈曲片部を対面接触させた状態で連結させることが可能な構成とされていることを特徴としている。
【００１７】
このような構成の筐体用の枠状部材は、本発明の第１の側面により提供される壁面設置型の電気機器の筐体の構成部材として好適に使用することができ、本発明の壁面設置型の電気機器について述べたのと同様な効果が得られる。
【００１８】
本発明のその他の特徴および利点は、添付図面を参照して以下に行なう発明の実施の形態の説明から、より明らかになるであろう。
【図面の簡単な説明】
【００１９】
【図１】(ａ)は、本発明が適用されたパワーコンディショナの一例を示す右側斜視図であり、(ｂ)は、左側斜視図であり、(ｃ)は、概略断面図である。
【図２】図１に示したパワーコンディショナの筐体の分解斜視図である。
【図３】(ａ)は、図２のIIIa−IIIa断面図であり、（ｂ）は、図２のIIIｂ-IIIｂ断面図であり、(ｃ)は、(ｂ)のIIIc−IIIc断面図である。
【図４】図２に示した筐体の枠状部材の分解斜視図である。
【図５】(ａ)は、図４のＶa−Ｖa断面図であり、（ｂ）は、図４のＶｂ-Ｖｂ断面図であり、(ｃ)は、(ｂ)の矢視Ｖcの平面図である。
【図６】図２のVI−VI要部断面図である。
【発明を実施するための形態】
【００２０】
以下、本発明の好ましい実施の形態について、図面を参照して具体的に説明する。
【００２１】
図１(ｃ)によく表われているように、本実施形態のパワーコンディショナＡは、筐体ＣＡ内に電気機器本体部１を収容したものであって、所望の壁面９に対し、適当な取付具８を利用して取り付けられ、太陽光発電装置の付属機器として用いられる。電気機器本体部１は、ヒートシンク１０、回路基板１１、およびこの回路基板１１に搭載されたリアクトルやその他の電気部品群(図示略)などから構成されている。これらの電気部品群は、太陽電池(図示略)で発電された直流電圧を昇圧させるための昇圧回路、昇圧された直流電力を交流電力に変換するインバータ、およびその交流電力の波形を成形するフィルタ回路などを構成している。
【００２２】
前記したリアクトルなどの発熱量が比較的多い電気部品は、ヒートシンク１０に対して熱伝導可能な状態に設定され、放熱効果が得られるように構成されている。電気機器本体部１は、たとえばベース部材７の前面側に組み付けられているが、このベース部材７は、筐体ＣＡを支持するとともに、筐体ＣＡの背面開口部を塞ぐ背面カバーとしての役割も果たす。図面では省略しているが、ベース部材７には、取付具８に対する固定を図るための手段も設けられている。
【００２３】
図２に示すように、筐体ＣＡは、枠状部材Ｆと、フロントカバー３とを組み合わせて構成されている。枠状部材Ｆは、図１（ｃ）に示した電気機器本体部１の周囲を囲むための部材であり、上板部２０、下板部２１、および左右一対の側板部２２，２３を有している。上板部２０および下板部２１には、放熱用の複数の通気孔２７が設けられている。なお、一対の側板部２２，２３のうち、右側の側板部２３の上部側と下部側との間には段差Ｌ１があるが、この点については、後述する。枠状部材Ｆの背面部は、先に述べたベース部材７に固定される。フロントカバー３は、枠状部材Ｆの前面側開口部を塞ぐ部材である。本実施形態では、枠状部材Ｆおよびフロントカバー３は、ともに金属製である。ただし、これらの材質は、これに限定されるものではない。
【００２４】
図４に示すように、枠状部材Ｆは、上側部材２Ａと下側部材２Ｂとの２部材に分割された構成（換言すれば、それら２部材を組み合わせた構成）とされている。枠状部材Ｆの分割は、側板部２２，２３を側板上部２２ａ，２３ａおよび側板下部２２ｂ，２３ｂに分割するようになされており、上側部材２Ａは、上板部２０の左右両端に側板上部２２ａ，２３ａが一体的に繋がった部材である。下側部材２Ｂは、下板部２１の左右両端に側板下部２２ｂ，２３ｂが一体的に繋がった部材である。上側部材２Ａおよび下側部材２Ｂは、ともに比較的薄手の金属板にプレス加工を施して製作されている。
【００２５】
上側部材２Ａおよび下側部材２Ｂには、これらを連結するための第１および第２の連結部Ｃ１，Ｃ２（本発明でいう連結手段の具体例に相当）が設けられている。
第１の連結部Ｃ１は、上下一対の屈曲片部２４ａ，２４ｂ、２つの係止用突起２５、およびこれに対応する係止用孔２６（２６ａ，２６ｂ）を具備している。一対の屈曲片部２４ａ，２４ｂは、側板上部２２ａの下部先端および側板下部２２ｂの上部先端から枠状部材Ｆの内側に向けて略水平に屈曲した部分であり、平面視略矩形のフランジ状である。各係止用突起２５は、上側の屈曲片部２４ａの先端縁から下向きに突出した鉤状である。係止用孔２６は、下側の屈曲片部２４ｂに設けられており、一方の係止用孔２６は、切欠き状であるのに対し、他方の係止用孔２６は、非切欠きの長孔状である。図５（ｂ）に示す状態において、矢印Ｎ１に示すように、係止用突起２５を係止用孔２６ｂに挿通させた後に（係止用孔２６ａに対しては次の矢印Ｎ２の操作で係止用突起２５が進入する）、矢印Ｎ２方向に上側部材２Ａを移動させることにより、係止用突起２５の先端部を係止用孔２６の縁部に係止させることが可能である（図３（ｂ）を参照）。このような係止を行なった状態では、屈曲片部２４ａ，２４ｂが互いに対面接触し、かつこの対面接触状態が維持
されるようになっている。
【００２６】
図５（ｃ）に示すように、係止用孔２６は、奥部側（図面右側）の幅Ｗ１が手前側の幅Ｗ２よりも狭くなるように形成されている。このことにより、図３（ｃ）に示すように、係止用突起２５の基部を、係止用孔２６の奥部に対して隙間をない状態に圧入、またはこれに近い状態で進入させることが可能とされている。図５（ｂ）に示すように、係止用突起２５は、この係止用突起２５の先端部と屈曲片部２４ａとの間に、水平方向を向いて一端が開口した切欠き状の凹部２８を形成している。この凹部２８の奥部（図面左側）の上下幅ｓ１は、手前側の上下幅ｓ２よりも狭くされている。このことにより、図３（ｂ）に示すように、凹部２８の奥部には、係止用孔２６の縁部を隙間のない状態に圧入、またはこれに近い状態で進入させることが可能とされている。
【００２７】
図４において、第２の連結部Ｃ２は、一対の屈曲片部２４ａ，２４ｂ、係止用突起２５、および係止用孔２６（２６ａ，２６ｂ）を有している。第２の連結部Ｃ２は、第１の連結部Ｃ１と比較すると、上側の屈曲片部２４ａ（２４a'）が外向きに突出している点が相違するが、これ以外の構成については、第１の連結部Ｃ１の構成と同様であるため、その説明は省略する。第２の連結部Ｃ２においては、図２や図６に示すように、側板上部２３ａと側板下部２３ｂとが左右幅方向の段差Ｌ１を生じるように連結される。
【００２８】
フロントカバー３は、既述したように、枠状部材Ｆの前面開口部を塞ぐようにして枠状部材Ｆに装着される。このフロントカバー３の後部側には、後方に向けて延びる延設部３０が設けられているが、この延設部３０は、側板上部２３ａの外側、および第２の連結部Ｃ２を覆うための部分である。このことにより、側板上部２３ａや第２の連結部Ｃ２が外部から不体裁に見えないように隠される。図６に示すように、フロントカバー３の延設部３０と側板上部２３ａとの間には、隙間２９が形成されているが、この隙間２９は、電力供給や制御信号の送受信用などの電気配線を筐体ＣＡの背後から筐体ＣＡ内の前面寄りに通すための通路として利用される。延設部３０は、フロントカバー３とは別体に構成してもよい。
【００２９】
次に、前記したパワーコンディショナＡの作用について説明する。
【００３０】
まず、筐体ＣＡの枠状部材Ｆは、上側部材２Ａと下側部材２Ｂとを組み合わせたものであるために、枠状部材Ｆの全体のサイズを大きくする場合であっても、上側部材２Ａおよび下側部材２Ｂのそれぞれの大型化を抑制することができる。したがって、本実施形態とは異なり、枠状部材Ｆを単一部材によって大きなサイズに形成する場合と比較すると、その製造コストを低減することが可能である。
【００３１】
第１および第２の連結部Ｃ１，Ｃ２においては、略水平状の屈曲片部２４ａ，２４ｂどうしを対面接触させて、これらの連結を図っているために、これらの当接状態を安定させることができる。また、それらの間に不当な隙間なども生じないようにすることが可能である。とくに、第１の連結部Ｃ１においては、屈曲片部２４ａ，２４ｂの双方が枠状部材Ｆの内側に屈曲しており、これら屈曲片部２４ａ，２４ｂや係止用突起２５などは外部から見えない。図１（ｂ）に示すように、第１の連結部Ｃ１については、外部から見ると、１本のラインとして認識し得るに過ぎないものとなる。したがって、第１の連結部Ｃ１については、第２の連結部Ｃ２とは異なり、フロントカバー３の一部によって隠さなくても、見栄えがよい。
【００３２】
第１および第２の連結部Ｃ１，Ｃ２は、上板部２０や下板部２１を避けた箇所に設けられているために、上板部２０や下板部２１に放熱用の通気孔２７を設ける場合において、スペース的な制約を受けることはない。したがって、放熱用の通気孔２７を上板部２０や
下板部２１の広い範囲にわたって多数設け、冷却性能を良好にすることも可能である。
【００３３】
上側部材２Ａと下側部材２Ｂとの連結に際しては、ボルト・ナットなどの別部品を用いる必要はなく、係止用突起２５を係止用孔２６の縁部に係止させるだけでよい。したがって、その作業は容易であり、筐体ＣＡの組立作業コストも廉価にすることが可能である。係止用突起２５を係止用孔２６の縁部に係止させた場合には、図３（ｃ）に示したように、係止用孔２６の奥部の幅狭な部分に、係止用突起２５の基部を圧入またはこれに近い状態で進入させることができるために、上側部材２Ａと下側部材２Ｂとの左右幅方向の位置決め固定が的確に図られる。また、図３（ｂ）に示したように、係止用突起２５の凹部２８の奥部の幅狭な部分には、係止用孔の縁部を圧入またはこれに近い状態で進入させることができるために、上側部材２Ａと下側部材２Ｂとの上下方向の位置決め固定も的確に図られる。
【００３４】
本発明は、上述した実施形態の内容に限定されない。本発明に係る壁面設置型の電気機器、および筐体用の枠状部材の各部の具体的な構成は、本発明の意図する範囲内において種々に設計変更自在である。
【００３５】
上述した実施形態では、第１および第２の連結部Ｃ１，Ｃ２の双方が、本発明が意図する連結手段に相当するが、本発明はこれに限定されず、複数の連結部のうち、少なくとも１つの連結部が、本発明の意図する連結手段に相当すればよい。余り望ましくはないが、前記した実施形態における第１および第２の連結部Ｃ１，Ｃ２のうち、いずれか一方の連結部を、たとえばボルト・ナットを利用した連結部とすることもでき、このような構成も、本発明の技術的範囲に包摂される。
【００３６】
枠状部材は、一対の側板部のそれぞれが側板上部および側板下部に分割されるようにして、上側部材と下側部材とに上下２分割されていればよく、上側部材や下側部材がさらに分割されていてもよい。上述した実施形態の段差Ｌ１は無くてもよく、たとえば正面視矩形の枠状とすることができる。本発明でいう係止用突起は、一対の屈曲片部を対面接触させた状態で連結させることができるように、係止用孔に進入させて係止用孔の縁部に係止させることが鉤状であればよく、係止用突起や係止用孔の具体的な数も問わない。また、上述した実施形態とは逆に、係止用突起を下側の屈曲片部に設け、かつ係止用孔を上側の屈曲片部に設けた構成とすることもできる。
【００３７】
本発明でいう壁面設置型の電気機器は、パワーコンディショナに限定されない。壁面設置型の電気機器であって、電気部品の放熱を促進する観点から上板部および下板部に通気孔を設ける必要がある電気機器であれば、その具体的な種類を問うことなく、本発明を適用することが可能である。
【符号の説明】
【００３８】
Ａ  パワーコンディショナ（壁面設置型の電気機器）
ＣＡ  筐体
Ｃ１，Ｃ２  第１および第２の連結部（連結手段）
Ｆ  枠状部材
１  電気機器本体部
３  フロントカバー
２０  上板部
２１  下板部
２２，２３  側板部
２２ａ，２３ａ  側板上部
２２ｂ，２３ｂ  側板下部
２４ａ，２４ｂ  屈曲片部
２５  係止用突起
２６  係止用孔
２７  通気孔
【図１】
2014110283.tif 000003
【図２】
2014110283.tif 000004
【図３】
2014110283.tif 000005
【図４】
2014110283.tif 000006
【図５】
2014110283.tif 000007
【図６】
2014110283.tif 000008